(57)【要約】      （修正有）【課題】ステアリングに設けられるエンブレムの凹部分に装飾を施すことを実現可能なステアリングエンブレムの装飾用シート及びエンブレムの装飾用シートを提供する。【解決手段】所定の形状が立体的に設けられたステアリングエンブレムの凹部分と略同一形状に構成された基板２と、この基板２の一方の面に施された装飾面３と、この基板２の他方の面に設けられた粘着層４と、この粘着層４に覆着された剥離フィルム５とを備える。【選択図】図２
2012025379.tif 000002
【特許請求の範囲】
【請求項１】
所定の形状が立体的に設けられたステアリングエンブレムの凹部分と略同一形状に構成された基板と、
前記基板の一方の面に施された装飾面と、
前記基板の他方の面に設けられた粘着層と、
前記粘着層に覆着された剥離フィルムとを備える
ステアリングエンブレムの装飾用シート。
【請求項２】
前記基板が、ステアリングエンブレムの凹部分の位置に合わせて剥離フィルム上に配置された
請求項１に記載のステアリングエンブレムの装飾用シート。
【請求項３】
前記装飾面が、反射乱光状に加工処理された
請求項１または請求項２に記載のステアリングエンブレムの装飾用シート。
【請求項４】
中央部分の厚さが、同中央部分の周辺に位置する周辺部分の厚さより厚く構成されている
請求項１、請求項２または請求項３に記載のステアリングエンブレムの装飾用シート。
【請求項５】
前記基板の装飾面上に、その周縁端近傍から該周縁端に向けて順次薄くなるように透明樹脂層が形成された
請求項４に記載のステアリングエンブレムの装飾用シート。
【請求項６】
所定の形状が立体的に設けられたエンブレムの凹部分と略同一形状に構成された基板と、
前記基板の一方の面に施された装飾面と、
前記基板の他方の面に設けられた粘着層と、
前記粘着層に覆着された剥離フィルムとを備え、
中央部分の厚さが、同中央部分の周辺に位置する周辺部分の厚さより厚く構成されている
エンブレムの装飾用シート。
【請求項７】
前記基板の装飾面上に、その周縁端近傍から該周縁端に向けて順次薄くなるように透明樹脂層が形成された
請求項６に記載のエンブレムの装飾用シート。
【請求項８】
前記基板が、エンブレムの凹部分の位置に合わせて剥離フィルム上に配置された
請求項６または請求項７に記載のエンブレムの装飾用シート。
【請求項９】
前記装飾面が、反射乱光状に加工処理された
請求項６、請求項７または請求項８に記載のエンブレムの装飾用シート。
【発明の詳細な説明】
【技術分野】
【０００１】
本発明はステアリングエンブレムの装飾用シート及びエンブレムの装飾用シートに関する。詳しくは自動車のステアリングに取り付けるステアリングエンブレムの装飾用シート及び自動車のボンネット等のエンブレムに取り付けるエンブレムの装飾用シートに係るものである。
【背景技術】
【０００２】
従来、自動車のステアリングに貼り付けるステッカーとして、例えば非特許文献１に記載されたものが知られている。
具体的には、非特許文献１に記載されたステッカーは、車種のメーカーのロゴマークが印刷されたステッカーやステアリングのメーカーのロゴが印刷されたステッカーを装飾して貼り付ける構成とされている。
【０００３】
また、高級車等では高級感を演出するために自動車のステアリングの略中央、あるいは車体のボンネットに、その自動車のメーカーのロゴマークが金属で立体的に型取られたエンブレムが設けられたものが多く販売されている。
【０００４】
このエンブレムは例えば図８に示すように、車種のメーカーのロゴマーク１０１が合成樹脂材によってマークや文字部分が浮き出るように立体的に造型され、その表面が金属メッキ処理されることによって金属的に高級感ができるように演出された構成とされている。
【先行技術文献】
【特許文献】
【０００５】
【非特許文献１】ステアリングエンブレムステッカー！  インターネット（ｈｔｔｐ：／／ｗｗｗ．ｇｔ３００ｐｓ．ｃｏｍ／ｓｔｅｅｒｉｎｇ．ｈｔｍｌ）
【発明の概要】
【発明が解決しようとする課題】
【０００６】
しかしながら、上述した非特許文献１に記載されたステッカーでは、ステアリングの略中央に表示されるメーカーのロゴマーク等が覆い被されて車本来のイメージを損ねる恐れがある。
【０００７】
また、メーカーのロゴマークが金属で立体的に型取られたエンブレムの場合では、ステアリングにステッカーや他の装飾を加えると高級感を演出することができなくなる問題がある。
【０００８】
従って、予めエンブレムが設けられたステアリングに自分好みのステッカーを貼る、あるいはアクセサリー等の装飾を施すことができないために他車との差別化を演出することができ難いことが多い。
【０００９】
本発明は、以上の点に鑑みて創案されたものであって、車本来のイメージを損なうことなく、他車との差別化を演出できるステアリングエンブレムの装飾用シート及びエンブレムの装飾用シートを提供することを目的とするものである。
【課題を解決するための手段】
【００１０】
上記の目的を達成するために、本発明に係るステアリングエンブレムの装飾用シートは、所定の形状が立体的に設けられたステアリングエンブレムの凹部分と略同一形状に構成された基板と、前記基板の一方の面に施された装飾面と、前記基板の他方の面に設けられた粘着層と、前記粘着層に覆着された剥離フィルムとを備える。
【００１１】
ここで、所定の形状が立体的に設けられたステアリングエンブレムの凹部分と略同一形状に基板が構成され、この基板の一方の面に装飾面が施され、他方の面に粘着層が設けられたことによって、例えば車種のロゴ、あるいはマークが立体的に設けられたステアリングエンブレムの凹部分にステアリングエンブレムの装飾用シートを貼り付けることで、基板の一方の面に施された装飾面でロゴ、あるいはマーク等を引き立てることが可能となる。
【００１２】
また、基板がステアリングエンブレムの凹部分の位置に合わせて剥離フィルム上に配置された構成を採用した場合には、ステアリングエンブレムの各凹部分に対応する基板の選択が確実、かつ容易に行うことができる。
【００１３】
また、装飾面が反射乱光状に加工処理された構成を採用した場合には、装飾面に照射された光が乱反射することで装飾面が光輝き、より一層の高級感を演出することができる。
【００１４】
また、ステアリングエンブレムの装飾用シートの中央部分の厚さが、中央部分の周辺に位置する周辺部分の厚さより厚く構成された場合には、例えば、ステアリングエンブレムの各凹部深さよりステアリングエンブレムの装飾用シートの厚さ（中央部分の厚さ）が厚い場合でも、ステアリングエンブレムの装飾用シートの端部が凹部よりはみ出さないこととなる。このことによって、ステアリングエンブレムの装飾用シートの剥離を抑制することができる。
【００１５】
なお、ステアリングエンブレムの装飾用シートの中央部分の厚さを、中央部分の周辺に位置する周辺部分の厚さより厚くする方法としては、例えば、（１）基板の中央部分の厚さを基板の周辺部分の厚さよりも厚くする、（２）基板の装飾面上に、その周縁端近傍から周縁端に向けて順次薄くなるように透明樹脂層を形成する、といった方法が考えられる。
【００１６】
また、上記の目的を達成するために、本発明に係るエンブレムの装飾用シートは、所定の形状が立体的に設けられたエンブレムの凹部分と略同一形状に構成された基板と、前記基板の一方の面に施された装飾面と、前記基板の他方の面に設けられた粘着層と、前記粘着層に覆着された剥離フィルムとを備え、中央部分の厚さが、同中央部分の周辺に位置する周辺部分の厚さより厚く構成されている。
【００１７】
ここで、所定の形状が立体的に設けられたエンブレムの凹部分と略同一形状に基板が構成され、この基板の一方の面に装飾面が施され、他方の面に粘着層が設けられたことによって、例えば車種のロゴ、あるいはマークが立体的に設けられたエンブレムの凹部分にエンブレムの装飾用シートを貼り付けることで、基板の一方の面に施された装飾面でロゴ、あるいはマーク等を引き立てることが可能となる。
【００１８】
また、エンブレムの装飾用シートの中央部分の厚さが、中央部分の周辺に位置する周辺部分の厚さより厚く構成されたことによって、例えば、エンブレムの各凹部深さよりエンブレムの装飾用シートの厚さ（中央部分の厚さ）が厚い場合でも、エンブレムの装飾用シートの端部が凹部よりはみ出さないこととなる。このことによって、エンブレムの装飾用シートの剥離を抑制することができる。
【００１９】
なお、エンブレムの装飾用シートの中央部分の厚さを、中央部分の周辺に位置する周辺部分の厚さより厚くする方法としては、例えば、（１）基板の中央部分の厚さを基板の周辺部分の厚さよりも厚くする、（２）基板の装飾面上に、その周縁端近傍から周縁端に向けて順次薄くなるように透明樹脂層を形成する、といった方法が考えられる。
【００２０】
また、基板がエンブレムの凹部分の位置に合わせて剥離フィルム上に配置された構成を採用した場合には、エンブレムの各凹部分に対応する基板の選択が確実、かつ容易に行うことができる。
【００２１】
また、装飾面が反射乱光状に加工処理された構成を採用した場合には、装飾面に照射された光が乱反射することで装飾面が光輝き、より一層の高級感を演出することができる。
【発明の効果】
【００２２】
本発明のステアリングエンブレムの装飾用シートは、ステアリングエンブレムの凹部分に貼り付けることで自分の好みに合ったステリングエンブレムに演出することができる。また、本発明のエンブレムの装飾用シートは、エンブレムの凹部分に貼り付けることで自分の好みに合ったエンブレムに演出することができる。
【図面の簡単な説明】
【００２３】
【図１】本発明を適用したステアリングエンブレムの装飾用シートの一例を説明するための模式図である。
【図２】本発明を適用したステアリングエンブレムの装飾用シートの一例を説明するための断面模式図である。
【図３】本発明を適用したステアリングエンブレムの装飾用シートの他の例を説明するための模式図である。
【図４】本発明を適用したステアリングエンブレムの装飾用シートの一例の変形例を説明するための断面模式図である。
【図５】本発明を適用したエンブレムの装飾用シートの一例を説明するための模式図である。
【図６】本発明を適用したエンブレムの装飾用シートの一例を説明するための断面模式図である。
【図７】本発明を適用したエンブレムの装飾用シートの使用状態を説明するための断面模式図である。
【図８】従来のステアリングエンブレムの一例を説明するための模式図である。
【発明を実施するための形態】
【００２４】
以下、本発明の実施の形態を図面を参酌しながら説明し、本発明の理解に供する。
【００２５】
図１は本発明を適用したステアリングエンブレムの装飾用シートの一例を説明するための模式図である。また、図２は本発明を適用したステアリングエンブレムの装飾用シートの一例を説明するための断面模式図である。
【００２６】
ここで示す装飾用シート１は、柔軟性を有する合成樹脂製の基板２の上面に、光が乱反射するように、例えば、アルミニウム製等のシルバー状の突起を無数に施した装飾面３が形成されている。
【００２７】
また、合成樹脂製の基板２の底面には粘着層４が設けられ、この粘着層４にポリエチレンフィルム製の剥離フィルム５が貼り付けられている。
【００２８】  ここで、装飾用シート１は、車種のステアリングエンブレムのデザインに応じてカッティングされている。例えば、図１（ロ）に示すような（公序良俗違反につき、不掲載）の場合には、図１（イ）で示すように、略円形状の枠内に（公序良俗違反につき、不掲載）部分７が浮き出たようにプレス加工がされている。具体的には、ステアリングエンブレム６のそれぞれの凹部分８の形状に合わせて、合成樹脂製の基板２がカッティングされている（図１（イ）参照）。
【００２９】
また、図２に示すように、ステアリングエンブレム６のそれぞれの凹部分８の形状に合わせてカッティングされたそれぞれの基板２は、一枚の剥離フィルム５上にステアリングエンブレム６のそれぞれの凹部分８に対応した位置に配置されている。
【００３０】
以上の構成よりなる本発明のステアリングエンブレムの装飾用シート１では、一枚の剥離フィルム５にステアリングエンブレム６のそれぞれの凹部分８に対応した位置の状態で基板２が貼着されているので、ステアリングエンブレム６に貼り合わせた状態をイメージし易く、確実、かつ容易に商品を選択することが可能となる。
【００３１】
そして、装飾用シート１を貼り合わせる場合には、剥離フィルム５を取り剥がして粘着層４を露出させた状態でステアリングエンブレム６の凹部分８の底面に貼り付ける。なお、上記の様に構成された装飾用シート１をステアリングエンブレム６のそれぞれの凹部分８に貼り合わせた状態を図１（ハ）に示す。
【００３２】
このようにして、その上面にアルミニウム製等のシルバー状の突起を無数に施した装飾面３が形成された基板２をステアリングエンブレム６の凹部分８に貼り付けることで、光の乱反射を生起することとなる。
【００３３】
ここで、装飾面３が乱反射によって光輝き、マーク部分７を引き立たせると共に宝石が散りまかれたように高級感に溢れたステアリングエンブレムを演出することが可能となる。
【００３４】
なお、本実施例では装飾面にシルバー状の無数の突起が施された形態について詳述するものであるが、必ずしもそうする必要性は無く、車種や車体の色に応じて赤、青等の色彩が付された形態であっても構わない。
【００３５】
また、装飾用シートの装飾面に蛍光体（図示せず。）を塗布することで夜間、あるいは駐車場等のように光が遮断された環境下で発光して幻想的な雰囲気を醸し出すことが可能となる。
【００３６】
また、本実施例では一枚の剥離フィルムにステアリングエンブレムのそれぞれの凹部分に対応した位置の状態で基板が貼着された構成を詳述するものであるが、必ずしもこのような構成とする必要性はなく、例えばそれぞれの基板に対して剥離フィルムを貼着する構成であっても構わない。
【００３７】
図４は本発明を適用したステアリングエンブレムの装飾用シートの一例の変形例を説明するための断面模式図である。
【００３８】
ここで示す装飾用シート１は、上記した本発明を適用したステアリングエンブレムの装飾用シートの一例（図１参照）の構成に加えて、基板２の装飾面３上に、その周縁端に向けて順次、その厚さが薄くなるように透明樹脂層９が形成されている。
【００３９】
ここで、透明樹脂層９の周縁部を薄く構成する方法としては、例えば基板２の上面に施された装飾面３の上面からポリウレタン等の透明樹脂液をゆっくりと流し込む方法が挙げられる。こうした方法を採用した場合には、表面張力が働き、その周縁部分がその周縁端に向けて順次、その厚さが薄くなる。
【００４０】
上記の様に構成された装飾用シート１では、周縁端に向けて順次その厚さが薄くなるように透明樹脂層９が形成されることで、装飾用シート１の中央部分の厚さを、中央部分の周辺に位置する周辺部分の厚さより厚く構成している。このことによって、装飾用シート１の剥離を抑制することができる。
【００４１】
図３は本発明を適用したステアリングエンブレムの装飾用シートの他の例を説明するための模式図である。
【００４２】
ここで示す装飾用シート１Ａは、上記した本発明を適用したステアリングエンブレムの装飾用シートの一例と同様に、柔軟性を有する合成樹脂製の基板２Ａの上面に、光が乱反射するように、例えばアルミニウム製等のシルバー状の突起を無数に施した装飾面３Ａが形成されている。
【００４３】
また、合成樹脂製の基板２Ａの底面には粘着層４Ａが設けられ、この粘着層４Ａにポリエチレンフィルム製の剥離フィルム５Ａが貼り付けられている点も、上記した本発明を適用したステアリングエンブレムの装飾用シートの一例と同様である。
【００４４】  ここで、装飾用シート１Ａは、例えば、図３（ロ）に示すような（公序良俗違反につき、不掲載）の場合には、図３（イ）で示すように、略四角形状の枠内にＨ形状のマーク部分７Ａが浮き出たようにプレス加工がされている。具体的には、ステアリングエンブレム６のそれぞれの凹部分８の形状に合わせて、合成樹脂製の基板２Ａがカッティングされている（図３（イ）参照）。
【００４５】
また、ステアリングエンブレム６のそれぞれの凹部分８の形状に合わせてカッティングされたそれぞれの基板２Ａは、一枚の剥離フィルム５Ａ上にステアリングエンブレム６のそれぞれの凹部分８に対応した位置に配置されている。
【００４６】
更に、基板２Ａの装飾面３Ａ上に、その周縁端に向けて順次、その厚さが薄くなるように透明樹脂層９が形成されている（図４参照）。
【００４７】
以上の構成よりなる本発明のステアリングエンブレムの装飾用シート１Ａでは、一枚の剥離フィルム５Ａにステアリングエンブレム６のそれぞれの凹部分８に対応した位置の状態で基板２Ａが貼着された構成とされているので、ステアリングエンブレム６に貼り合わせた状態をイメージし易く、確実、かつ容易に商品を選択することが可能となる。
【００４８】
そして、装飾用シート１を貼り合わせる場合には、剥離フィルム５Ａを取り剥がして粘着層４Ａを露出させた状態でステアリングエンブレム６の凹部分８の底面に貼り付ける。なお、上記の様に構成された装飾用シート１Ａをステアリングエンブレム６のそれぞれの凹部分８に貼り合わせた状態を図３（ハ）に示す。
【００４９】
このようにして、その上面にアルミニウム製等のシルバー状の突起を無数に施した装飾面３が形成された基板２Ａをステアリングエンブレム６の凹部分８に貼り付けることで、光の乱反射を生起することとなる。
【００５０】
ここで、装飾面３Ａが乱反射によって光輝き、マーク部分７Ａを引き立たせると共に宝石が散りまかれたような高級感に溢れたステアリングエンブレムを演出することが可能となる。
【００５１】
また、基板２Ａの周縁部は、その周縁端に向けて順次、その厚さが薄くなるよう、即ち縁部分に孤度を付け滑らかにすることで外部との接触機会が少なくなる。これにより、装飾用シート１Ａの最上端がステアリングエンブレム６の凹部分８よりはみ出る場合でも剥れ難い状態となる。
【００５２】
なお、本実施例では装飾面にシルバー状の無数の突起が施された形態について詳述するものであるが、必ずしもそうする必要性は無く、車種や車体の色に応じて赤、青等の色彩が付された形態であっても構わない。
【００５３】
また、装飾用シートの装飾面に蛍光体（図示せず。）を塗布することで夜間、あるいは駐車場等のように光が遮断された環境下で発光して幻想的な雰囲気を醸し出すことが可能となる。
【００５４】
また、本実施例では一枚の剥離フィルムにステアリングエンブレムのそれぞれの凹部分に対応した位置の状態で基板が貼着された構成を詳述するものであるが、必ずしもこのような構成とする必要性はなく、例えばそれぞれの基板に対して剥離フィルムを貼着する構成であっても構わない。
【００５５】
図５は本発明を適用したエンブレムの装飾用シートの一例を説明するための模式図である。また、図６は本発明を適用したエンブレムの装飾用シートの一例を説明するための断面模式図である。
【００５６】
ここで示す装飾用シート１０は、柔軟性を有する合成樹脂製の基板１２の上面に、光が乱反射するように、例えば、アルミニウム製等のシルバー状の突起を無数に施した装飾面１３が形成されている。
【００５７】
また、基板１２の底面にはアクリル系の粘着層１４が設けられ、この粘着層１４にポリエチレンフィルム製の剥離フィルム１５が貼り付けられている。
【００５８】  ここで、装飾用シート１０は、車種のエンブレムのデザインに応じてカッティングされている。例えば、図５（ロ）に示すような（公序良俗違反につき、不掲載）の場合には、図５（イ）で示すように、略円形状の枠内に（公序良俗違反につき、不掲載）部分２１が浮き出るようにプレス加工がされている。具体的には、エンブレム２０のそれぞれの凹部分２２の形状に合わせて、合成樹脂製の基板１２がカッティングされている（図５（イ）参照）。
【００５９】
また、エンブレム２０のそれぞれの凹部分２２の形状に合わせてカッティングされたそれぞれの基板１２は、一枚の剥離フィルム１５上にエンブレム２０のそれぞれの凹部分２２に対応した位置に配置されている。
【００６０】
更に、基板１２の装飾面１３上面に、その周縁端に向けて順次、その厚さが薄くなるように透明樹脂層１９が形成されている（図６参照）。
【００６１】
ここで、透明樹脂層１９の周縁部を薄く構成する方法としては、例えば基板１２の上面に施された装飾面１３の上面からポリウレタン系の透明樹脂液をゆっくりと流し込む方法が挙げられる。こうした方法を採用した場合には、表面張力が働き、その周縁部分がその周縁端に向けて順次、その厚さが薄くなる。
【００６２】
以上の構成よりなる本発明のエンブレムの装飾用シート１０では、一枚の剥離フィルム１５にエンブレム２０のそれぞれの凹部分２２に対応した位置の状態で基板１２が貼着された構成とされているので、エンブレム２０に貼り合わせた状態をイメージし易く、確実、かつ容易に商品を選択することが可能となる。
【００６３】
そして、装飾用シート１０を貼り合わせる場合には、剥離フィルム１５を取り剥がして粘着層１４を露出させた状態でエンブレム２０の凹部分２２の底面に貼り付ける。なお、上記の様に構成された装飾用シート１０をエンブレム２０のそれぞれの凹部分２２に貼り合わせた状態を図５（ハ）に示す。
【００６４】
このようにして、その上面にアルミニウム製等のシルバー状の突起を無数に施した装飾面１３が形成された基板１２をエンブレム２０の凹部分２２に貼り付けることで、光の乱反射を生起することとなる。
【００６５】
また、図７は本発明を適用したエンブレムの装飾用シートの使用状態を説明するための断面模式図である。ここで示す装飾用シート１０は、エンブレム２０の凹部分２２内に貼り付けられた基板１２の装飾面１３上の透明樹脂層１９の最上端が、エンブレム２０の凹部分２２よりはみ出ている。
【００６６】
ここで、本実施例では、透明樹脂層１９の周縁部分がその周縁端に向けて順次、その厚さが薄くなるよう、即ち縁部分に孤度を付け滑らかにすることで透明樹脂層１９の周縁端が凹部分２２内に収まった状態としている。
【００６７】
従って、透明樹脂層１９の周縁端が凹部分２２よりはみ出ることがなく、外部との接触機会が少なくなり、風雨や洗車時のブラシなどで基板１２が剥がれるのを抑制することができる。
【００６８】
また、装飾用シートの装飾面に蛍光体（図示せず。）を塗布することで夜間、あるいは駐車場等のように光が遮断された環境下で発光して幻想的な雰囲気を醸し出すことが可能となる。
【００６９】
また、装飾としてアルミニウム製等のシルバー状の突起を使用することで、夜間では他車のライトに反射して昼間とは異なった雰囲気を醸し出すことができる。
【００７０】
なお、本実施例では装飾面上にその周縁端に向けて順次、その厚さが薄くなるように透明樹脂層が形成される場合について詳述するものであるが、必ずしもその周縁端に向けて順次、その厚さが薄くなるような構成とする必要性はない。
【００７１】
例えば、透明樹脂層の周縁部に段差を設ける、あるいは透明樹脂層の断面形状を半円形状や三角形状とすることで透明樹脂層の周縁端が凹部内に収まる構成であればいかなる構成であっても構わない。
【００７２】
なお、本実施例では装飾面がシルバー状の無数の突起によって施された形態について詳述するものであるが、必ずしもそうする必要性は無く、車種や車体の色に応じて赤、青等の色彩が付された形態であっても構わない。
【００７３】
また、本実施例では一枚の剥離フィルムにエンブレムのそれぞれの凹部分に対応した位置の状態で基板が貼着された構成を詳述するものであるが、必ずしもこのような構成とする必要性はなく、例えばそれぞれの基板に対して剥離フィルムを貼着する構成であっても構わない。
【００７４】  また、本実施例では（公序良俗違反につき、不掲載）エンブレムの装飾用シートについて詳述するものであるが、これに限定するものでなく、他に例えば（公序良俗違反につき、不掲載）などあらゆる車種のエンブレムに対応した装飾用シートを実現可能とするものである。
【符号の説明】
【００７５】
１、１Ａ、１０      装飾用シート
２、２Ａ、１２      基板
３、３Ａ、１３      装飾面
４、４Ａ、１４      粘着層
５、５Ａ、１５      剥離フィルム
６                  ステアリングエンブレム
７、７Ａ、２１      マーク部分
８、２２            凹部分
９、１９            透明樹脂層
【図１】
2012025379.tif 000003
【図２】
2012025379.tif 000004
【図３】
2012025379.tif 000005
【図４】
2012025379.tif 000006
【図５】
2012025379.tif 000007
【図６】
2012025379.tif 000008
【図７】
2012025379.tif 000009
【図８】
2012025379.tif 000010